(57)【要約】【課題】            巻取り軸とガイド軸との間で開閉体が弛るんでしまうのを防ぐことができる開閉装置を提供する。【解決手段】        巻取り軸３０から巻き戻される開閉体１０を、ガイド軸４０により下方側から受けるとともに、同ガイド軸４０により閉鎖方向へ導くようにした開閉装置において、前記開閉体１０が前記巻取り軸３０から巻き戻されるのに伴って、前記巻取り軸３０と前記ガイド軸４０との間における前記開閉体１０の下部に対し近接または接触する位置へ移動する受け部材が備えられている。【選択図】          図１
2006045942.tif 000002
【特許請求の範囲】
【請求項１】
巻取り軸から巻き戻される開閉体を、ガイド軸により下方側から受けるとともに、同ガイド軸により閉鎖方向へ導くようにした開閉装置において、
前記開閉体が前記巻取り軸から巻き戻されるのに伴って、前記巻取り軸と前記ガイド軸との間における前記開閉体の下部に対し近接または接触する位置へ移動する受け部材が備えられていることを特徴とする開閉装置。
【請求項２】
上記受け部材は、上記巻取り軸に対して接近するように移動することを特徴とする請求項１記載の開閉装置。
【請求項３】
上記受け部材は、上記巻取り軸と上記ガイド軸との間における上記開閉体の下部に対し上昇しながら接近することを特徴とする請求項１又は２記載の開閉装置。
【請求項４】
上記受け部材を、上記巻取り軸の回転力によって移動するようにしたことを特徴とする請求項１乃至３何れか１項記載の開閉装置。
【請求項５】
上記巻取り軸と一体的に回転する回転体と、該回転体によって開閉体巻取り方向と反対の方向へ巻き取られる牽引体とを備え、該牽引体により上記受け部材を牽引して移動するようにしたことを特徴とする請求項４記載の開閉装置。
【請求項６】
上記開閉体が上記巻取り軸に巻き取られる際に、上記受け部材を自重によって元の位置へ戻すようにしたことを特徴とする請求項１乃至５何れか１項記載の開閉装置。
【発明の詳細な説明】
【技術分野】
【０００１】
本発明は、オーバーヘッドドアを含むシャッター装置、ロールスクリーン、ブラインド、オーニング装置等、巻取り軸に巻かれた開閉体により構造物の空間部分を仕切る開閉装置に関し、特にシャッター装置として適用するのに好ましい開閉装置に関するものである。
【背景技術】
【０００２】
従来、この種の発明には、上下方向へスライドして開閉動作する開閉体と、該開閉体を巻き取ったり巻き戻したりする巻取り軸と、該開閉体の幅方向の端部を囲んで開閉方向へ案内するガイドレールと、前記巻取り軸と前記ガイドレールとの間で、巻取り軸から巻き戻される開閉体を、その下方側から受けて下方のガイドレールへ導くガイド軸とを備えた二軸状の開閉装置がある（特許文献１及び２参照）。
この二軸状の開閉装置によれば、前記ガイドレールの仮想延長線が前記ガイド軸の外周面に接するように構成されて、開閉体におけるガイドレールよりも上方の部分の傾斜が小さいため、ガイドレールの上端側における開閉体の摩擦抵抗が比較的小さい。したがって、前記摩擦抵抗に起因する騒音や、振動、磨耗等を低減することができる。
【０００３】
しかしながら、上記従来技術によれば、図５に示すように、巻取り軸１１０から開閉体１３０が繰り出されると、巻取り軸１１０とガイド軸１２０との間に、幅広いスペースが形成されるため、このスペースに開閉体１３０が弛み込んだり、更には同スペースに弛んだ開閉体１３０が落ち込んだり等するおそれがある。
より詳細に説明すれば、巻取り軸１１０から開閉体１３０が繰り出されると、巻取り軸１１０に巻かれた開閉体１３０の外径が小さくなるため、その開閉体１３０の外周面とガイド軸１２０との間隔が次第に広がっていく。また、開閉体１３０は、巻取り軸１１０から繰り出されると、ガイド軸１２０の回転抵抗や、ガイドレール１４０の摩擦抵抗等を受けるため、巻取り軸１１０の繰り出し速度よりも、ガイドレール１４０に沿って閉鎖動作する開閉体１３０の速度の方が遅くなる。
そのため、巻取り軸１１０から開閉体１３０が繰り出されるのにしたがって、巻取り軸１１０とガイド軸１２０との間のスペースに、開閉体１３０が弛み込み易くなる。この傾向は、経年変化等により開閉体１３０とガイドレール１４０との摩擦抵抗や、ガイド軸１２０の回転抵抗等が大きくなるのにつれて著しくなる。
そこで、巻取り軸１１０とガイド軸１２０との間を極力狭く設定することが考えられるが、巻取り軸１１０に開閉体１３０が巻き取られると、その巻き取られた開閉体１３０の巻径が大きくなり、巻き取られた開閉体１３０の外周面とガイド軸１２０とが干渉してしまうおそれがあるため、前記軸１１０，１２０間の寸法を狭めるのにも限界がある。
【特許文献１】特開平６−２８８１６５号公報（図１参照）
【特許文献２】特開平２−３６５９５号公報（第２図参照）
【発明の開示】
【発明が解決しようとする課題】
【０００４】
本発明は上記従来事情に鑑みてなされたものであり、その課題とする処は、巻取り軸とガイド軸との間で開閉体が弛るんでしまうのを防ぐことができる開閉装置を提供することにある。
【課題を解決するための手段】
【０００５】
上記課題を解決するために第一の発明は、巻取り軸から巻き戻される開閉体を、ガイド軸により下方側から受けるとともに、同ガイド軸により閉鎖方向へ導くようにした開閉装置において、前記開閉体が前記巻取り軸から巻き戻されるのに伴って、前記巻取り軸と前記ガイド軸との間における前記開閉体の下部に対し近接または接触する位置へ移動する受け部材が備えられていることを特徴とする。
【０００６】
ここで、本発明に係わる開閉装置には、開閉体が閉鎖動作のみを行うように用いられる態様（例えば、非常時のみ遮煙や遮炎等の目的で閉鎖されるシャッター装置等）や、開閉体が開放動作と閉鎖動作との双方を行うように用いられる態様等を含む。
【０００７】
また、上記開閉体の好ましい具体例としては、複数のスラットやパイプを開閉方向へ連設してなる態様や、単数もしくは複数のパネルや、シート状物、ネット状物を開閉方向へ設けてなる態様、あるいはスラット、パネル、パイプ、可撓性シート状物、ネット状物等を適宜に組み合わせてなる態様等が挙げられる。
【０００８】
また、上記ガイド軸には、上記巻取り軸から略水平方向へ巻き戻される上記開閉体を、その下方側から受けるとともに該ガイド軸の外周部に沿って閉鎖方向へ導くようにした態様や、上記巻取り軸から傾斜する方向へ巻き戻される上記開閉体を、その下方側から受けるとともに該ガイド軸の外周部に沿って閉鎖方向へ導くようにした態様等を含む。
また、このガイド軸は、上記開閉体をスムーズに閉鎖方向へ導くように、回動自在に支持された構成とするのが好ましいが、回動不能に支持されるとともにその外周面上部側に上記開閉体を摺接させるようにした構成とすることも可能である。
また、このガイド軸により導かれる上記閉鎖方向には、略真下方向や斜め下方向等を含む。
【０００９】
また、「前記巻取り軸と前記ガイド軸との間における前記開閉体の下部に対し近接または接触する位置」とは、上記巻取り軸と上記ガイド軸との間における略中央で、上記開閉体の下部に対し近接または接触する位置とするのが好ましいが、上記巻取り軸と上記ガイド軸との間における上記巻取り軸側または上記ガイド軸側で、上記開閉体の下部に対し近接または接触する位置とすることも可能である。
【００１０】
また、上記受け部材は、上記開閉体の幅方向の略全長へわたって設けられた態様とするのが好ましいが、上記開閉体の幅方向の一部分に設けられた態様とすることも可能である。
また、上記受け部材は、簡素で生産性の良好な構造とするために単数の部材による構成とするのが好ましいが、上記開閉体の幅方向へわたる複数の部材による構成とすることも可能である。
【００１１】
また、上記受け部材の移動方向は、「前記巻取り軸と前記ガイド軸との間における前記開閉体の下部に対し近接または接触する位置」へ移動する方向であればよく、この移動方向には、略真上方向や、斜め上方向、略水平方向等を含む。
前記移動方向を略水平方向とした場合、この方向は、上記巻取り軸と上記ガイド軸との間における上記ガイド軸側から上記巻取り軸側へ略水平に移動する方向とするのが好ましいが、上記巻取り軸と上記ガイド軸との間における上記開閉体の幅方向外側から上記開閉体の幅方向内側へ移動する方向とすることも可能である。
また、上記受け部材には、移動前から移動後にわたって上記開閉体の上記下部に対し近接または接触するようにした態様（より具体的には、上記下部に対し近接して略平行に移動する態様）や、上記下部に対し近接または接触しない位置から上記下部に対し近接または接触する位置へ移動するようにした態様等を含む。
【００１２】
また、上記受け部材を移動させる手段には、上記巻取り軸の回転力を動力源として上記受け部材を移動させるようにした態様や、上記ガイド軸の回転力を動力源として上記受け部材を移動させるようにした態様、上記巻取り軸や上記ガイド軸の回転力以外の動力を動力源として上記受け部材を移動させるようにした態様等を含む。
【００１３】
また、第二の発明では、上記受け部材は、上記巻取り軸に対して接近するように移動することを特徴とする。
【００１４】
ここで、この第二の発明における上記受け部材の移動方向には、斜め上方向や略水平方向等を含む。
【００１５】
また、第三の発明では、上記受け部材は、上記巻取り軸と上記ガイド軸との間における上記開閉体の下部に対し上昇しながら接近するように移動することを特徴とする。
【００１６】
ここで、この第三の発明における上記受け部材の移動方向には、斜め上方向や略真上方向等を含む。
【００１７】
また、第四の発明では、上記受け部材を、上記巻取り軸の回転力によって移動するようにしたことを特徴とする。
【００１８】
また、第五の発明では、上記巻取り軸と一体的に回転する回転体と、該回転体によって開閉体巻取り方向と反対の方向へ巻き取られる牽引体とを備え、該牽引体により上記受け部材を牽引して移動するようにしたことを特徴とする。
【００１９】
また、第六の発明では、上記開閉体が上記巻取り軸に巻き取られる際に、上記受け部材を自重によって元の位置へ戻すようにしたことを特徴とする。
【００２０】
なお、本明細書中において「開閉体幅方向」とは、開閉体の開閉方向と略直交する方向であって、上記開閉体の厚さ方向ではない方向を意味する。
また、本明細書中において「開閉体の開閉方向」とは、開閉体が空間を仕切ったり開放したりするために移動する方向を意味する。
【発明の効果】
【００２１】
本発明は、以上説明したように構成されているので、以下に記載されるような作用効果を奏する。
第一の発明によれば、巻取り軸から開閉体が巻き戻されるのに伴って、巻取り軸とガイド軸との間における開閉体の下部に対し近接または接触する位置へ、受け部材が移動する。
したがって、巻取り軸とガイド軸との間で開閉体が弛んだり、その弛んだ開閉体が巻取り軸とガイド軸との間に落ち込んだり等するのを、移動した受け部材により防ぐことができる。
【００２２】
更に、第二の発明によれば、巻取り軸から開閉体が巻き戻されるのに伴って巻取り軸に巻かれた開閉体の巻径が小さくなり、その巻径の縮小に伴って、巻取り軸に巻かれた開閉体の周囲にスペースが形成される。したがって、移動する受け部材は、巻取り軸に巻かれた開閉体の外周部に干渉することなく、巻取り軸に接近していく。
すなわち、本発明によれば、巻取り軸に巻かれた開閉体の巻径が小さくなるのに伴って形成されるスペースを有効に利用して、移動する受け部材を配置することができる。
【００２３】
更に、第三の発明によれば、例えば受け部材を略水平方向へ移動させるようにした構造等と比較し、受け部材の移動スペースを確保し易い。
【００２４】
更に、第四の発明によれば、受け部材を移動させる動力源を別途に備える必要がない上、受け部材を巻取り軸の巻き戻しの際の回転に伴って移動させる構造を、簡素な構造とすることができる。
【００２５】
更に、第五の発明によれば、受け部材を巻取り軸の巻き戻しの際の回転に伴って移動させる構造を、簡素で生産性の良好な具体的構造とすることができる。
【００２６】
更に、第六の発明によれば、開閉体が巻取り軸から巻き戻されるのに伴って移動した際の受け部材は、開閉体が巻取り軸に巻き取られる際には、自重によって元の位置へ戻る。したがって、受け部材を元の位置に戻す構造を、別途に動力源やスプリング等を具備することのない簡素な構成とすることができる。
【発明を実施するための最良の形態】
【００２７】
以下、本発明の実施の形態を図面に基づいて説明する。
本実施の形態による開閉装置の一例は、住宅やビル、倉庫、工場、地下街、トンネル、車両の荷台等の躯体の開口部分や内部に配設され、前記開口部分を開閉したり、躯体内部の空間を仕切ったり開放したりするシャッター装置として説明する。
【００２８】
開閉装置１は、閉鎖方向端部を上下方向へスライドさせて開閉動作する開閉体１０と、該開閉体１０の幅方向の端部を囲み上下方向へ案内するガイドレール２０と、該開閉体１０を巻き取ったり巻き戻したりする巻取り軸３０と、該巻取り軸３０から巻き戻される開閉体１０を、その下方側から受けるとともに閉鎖方向へ導くガイド軸４０と、巻取り軸３０とガイド軸４０との間における開閉体１０の下面に対しその斜め下方側から接近する受け部材５１とを備えている。
【００２９】
開閉体１０は、横長略矩形状の金属板を曲げ加工してなる所謂スラットを、上下に隣接する該スラット間で回動するように複数連接することで、開閉体本体１１を構成している。そして、この開閉体１０は、前記開閉体本体１１の閉鎖方向側（図示例によれば下方側）の端部に、全閉時に当接対象部位ｐ（例えば、床面や地面、枠部材等）に当接させるための座板部材１２を開閉体幅方向にわたって接続している。
【００３０】
ガイドレール２０は、アルミ合金材料の引抜き成形または押し出し成形、鋼板や他の金属板の曲げ加工等の加工によって、開閉体１０の幅方向の端部を囲む略コ字状に形成される。そして、このガイドレール２０は、巻取り軸３０やガイド軸４０、受け部材５１等を収納する収納ケース６０と当接対象部位ｐとの間にわたって配設されている。
【００３１】
巻取り軸３０は、回動自在に支持された軸本体３１と、該軸本体３１の外周に固定された略筒状や略籠状等の回転ドラム３２とを備え、回転ドラム３２の外周に開閉体１０を巻き取ったり巻き戻したりするように構成される。
なお、この巻取り軸２０の駆動源は、電動であっても手動であってもよいし、あるいは、付勢手段（スプリングや錘体）等の付勢力を利用したものであってもよい。
【００３２】
そして、上記巻取り軸３０における軸本体３１の両端側は、それぞれブラケット６１（図２参照）により支持され、該ブラケット６１を貫通して突出する突端部には、後述する回転体５２を、略同軸状に固定している。
【００３３】
前記ブラケット６１は、収納ケース６０に固定された略平板状のブラケットであり、上記巻取り軸３０や、後述するガイド軸４０、後述するガイドローラ５４を、ベアリング等を介して回動自在に支持している。
更に、このブラケット６１には、巻取り軸３０に対し接近しながら斜めに上昇する方向の長孔６１ａが穿設され、該長孔６１ａには、後述する受け部材５１を係合している。
【００３４】
また、ガイド軸４０は、ガイドレール２０の上方延長線に接する位置であって、巻取り軸３０からガイドレール２０側へ所定間隔離れた位置に、開閉体幅方向へわたって巻取り軸３０と略平行に設けられ、その両端部側が、それぞれ上記ブラケット６１によって回動自在に支持されている。
そして、このガイド軸４０は、巻取り軸３０から略水平方向へ繰り出される開閉体１０を、その下方側から受けるとともにガイドレール２０内へ導いている。
【００３５】
また、受け部材５１は、図示例によれば、開閉体幅方向へわたる軸状に形成された本体部５１ａと、該本体部５１ａの両端部の各々に配置され、ブラケット６１の長孔６１ａに対し遊嵌状に挿入される係合軸部５１ｂとからなる。
なお、この受け部材５１は、図示例によれば、略円筒状もしくは略円柱状を呈するが、略角柱状や略籠型状等の他の形状であってもよい。
また、この受け部材５１は、前記係合軸部５１ｂに対しその外周側を回動不能に構成すればよいが、開閉体１０に接触した際の抵抗を軽減するためには、係合軸部５１ｂに対しその外周側を回動させるように構成するのが好ましい。
【００３６】
そして、この受け部材５１は、巻取り軸３０とガイド軸４０との間の位置であって、巻取り軸３０の周囲で最大巻径となった際の開閉体１０と干渉しない位置に、巻取り軸３０と略平行に配置される（図１（ａ）参照）。そして、この受け部材５１は、その係合軸部５１ｂをブラケット６１に貫通させ、該係合軸部５１ｂの突端側に、後述する牽引体５３を止着している。
【００３７】
牽引体５３は、可撓性を有する紐状の部材（例えば、ワイヤーや、紐、鎖、チェーン、ベルト等を含む）であり、その一端側を受け部材５１の係合軸部５１ｂに止着するとともに、その他端側を回転体５２の外周に止着し、これら一端側と他端側との間を、ガイドローラ５４外周の上半部側に掛け回している。
【００３８】
また、巻取り軸３０に固定された回転体５２は、図示例によれば略円柱状に構成され、巻取り軸３０による開閉体巻取り方向と反対の方向へ牽引体５３を巻き取る。
【００３９】
また、ガイドローラ５４は、ブラケット６１の外側（図２によれば手前側）において、受け部材５１の移動方向の延長線に接する位置に、回動自在に支持される。
なお、上記構成は、受け部材５１が移動する際の摩擦抵抗を軽減するようにした好ましい態様であるが、ガイドローラ５４を省いて、受け部材５１を牽引体５３によって回転体５２側へ牽引する構成とすることも可能である。
【００４０】
次に、上記構成の開閉装置１について、その作用効果を詳細に述べる。
先ず、開閉体１０が全開状態（図１（ａ）参照）にある場合を初期状態として説明すれば、巻取り軸３０から開閉体１０が巻き戻されると、回転体５２が巻取り軸３０と一体的に回転し、その回転する回転体５２に、牽引体５３が巻き取られていく。
すると、受け部材５１は、ブラケット６１の長孔６１ａに沿って斜め上方へ移動し、巻取り軸３０とガイド軸４０との間における開閉体１０の下面に対し徐々に接近していく。更に、同受け部材５１は、前記斜め上方への移動に伴って、巻取り軸３０に対しても徐々に接近していく。
そして、移動中の受け部材５１は、開閉体１０の閉鎖方向端部が当接対象部位ｐに着座するのと略同時に、開閉体１０における巻取り軸３０とガイド軸４０との間の略中央となる部分に対し近接または接触して、その移動を停止する（図１（ｂ）参照）。
【００４１】
したがって、巻取り軸３０から開閉体１０が巻き戻されている最中に、仮に、巻取り軸３０とガイド軸４０との間で開閉体１０の弛みを生じたとしても、その弛みが受け部材５１により押し上げられて元の状態に矯正される。
そのため、巻取り軸３０とガイド軸４０との間における開閉体１０に弛みを生じ、その弛みに起因して、全閉時における開閉体１０の閉鎖方向端部と当接対象部位ｐとの間に隙間が生じてしまったり、開閉体１０の動作不良を生じてしまったり等するのを防ぐことができる。
【００４２】
また、巻取り軸３０に開閉体１０が巻き取られる際には、その巻取りの際に巻取り軸３０と一体的に回転する回転体５２によって、牽引体５３が巻き戻されていく。
すると、受け部材５１は、その自重によって元の位置へ移動していく。より詳細に説明すれば、この受け部材５１は、ブラケット６１の長孔６１ａに沿って斜め下方へ移動するとともに、その移動に伴って巻取り軸３０から徐々に離れていく。
そして、移動中の受け部材５１は、開閉体１０が略全開状態となるのと略同時に、巻取り軸３０外周の開閉体１０と干渉することのない元の位置で停止する（図１（ａ）参照）。
【００４３】
すなわち、巻取り軸３０による開閉体巻取り動作の際には、巻取り軸３０外周の開閉体１０の巻径が大きくなるのにつれて、受け部材５１が巻取り軸３０から離れる方向へ徐々に移動する。そのため、巻取り軸３０に巻き重ねられる開閉体１０の外周面と、受け部材５１との干渉を防ぐことができる。
【００４４】
次に、本発明に係わる開閉装置の他例について説明する。なお、以下に示す開閉装置は、上述した開閉装置１を部分的に変更したものであるため、上記開閉装置１と略同様の部位については、同一の符号を付けることで、重複する詳細説明を省略する。
【００４５】
図３に示す開閉装置２は、上記開閉装置１が受け部材５１をブラケット６１の長孔６１ａに沿って移動させる構造としたのに対し、受け部材５１を揺動片５１ｃの揺動により移動させるように構成している。
受け部材５１は、その一端側が上記ブラケット６１によって回動自在に支持されるとともに、その他端側に、受け部材５１を固定している。
この開閉装置２によれば、受け部材５１が、円運動しながら、巻取り軸３０とガイド軸４０との間における開閉体１０の下面、及び巻取り軸３０に対し、接近したり離れたりするため、上記開閉装置１と略同様の作用効果を得ることができる。
【００４６】
また、図４に示す開閉装置３は、上記開閉装置１が移動後の受け部材５１を自重により元の状態へ戻すようにしているのに対し、移動後の受け部材５１を巻取り軸３０に巻かれた開閉体１０の外周面に押圧されて元の状態に戻すように構成している。
【００４７】
この開閉装置３では、上記ブラケット６１における長孔６１ａを、長孔６１ａ’に置換した構成としている。
前記長孔６１ａ’は、受け部材５１を、巻取り軸３０とガイド軸４０との間における開閉体１０の下面に近接させて移動するように、略水平状に設けられている。
【００４８】
また、この開閉装置３では、上記ガイドローラ５４を省き、牽引体５３が回転体５２方向へ直接的に牽引されるようにしている。
また、受け部材５１は、係合軸部５１ｂに対し本体部５１ａを回動自在に備え、該本体部５１ａを、巻取り軸３０に巻かれた開閉体１０の外周面に近接または接触させている。
【００４９】
この開閉装置３によれば、開閉体１０の閉鎖動作の際、巻取り軸３０から開閉体１０が巻き戻されるのにしたがって、巻取り軸３０と一体的に回転する回転体５２により、牽引体５３が巻き取られていく。
すると、受け部材５１は、ブラケット６１の長孔６１ａ’に沿って略水平に移動することにより、巻取り軸３０とガイド軸４０との略中央側における開閉体１０の下面へ向って移動し、その移動により巻取り軸３０に対しても徐々に接近していく。
そして、受け部材５１は、開閉体１０の閉鎖方向端部が当接対象部位ｐに着座するのと略同時に、開閉体１０における巻取り軸３０とガイド軸４０との間の略中央となる部分に対し近接または接触して、その移動を停止する（図４（ｂ）参照）。
【００５０】
また、巻取り軸３０に開閉体１０が巻き取られる際には、巻取り軸３０と一体的に回転する回転体５２から、牽引体５３が巻き戻されていく。
すると、受け部材５１は、巻取り軸３０に巻かれた開閉体１０の外周面に押されることで、略水平に移動し、巻取り軸３０から徐々に離れていく。この際、受け部材５１は、巻取り軸３０に巻かれた開閉体１０に摺接されることで、本体部５１ａを回転させる。
そして、移動中の受け部材５１は、開閉体１０が略全開状態となるのと略同時に、巻取り軸３０外周の開閉体１０に近接又は接触した状態で、元の位置に停止する（図４（ａ）参照）。
【００５１】
この開閉装置３によれば、受け部材５１が略水平に移動するため、その移動中、常に、開閉体１０の下面に対して、受け部材５１が近接または接触する。そのため、巻取り軸３０とガイド軸４０との間で開閉体１０が弛みを生じるのを、より効果的に防ぐことができる。
また、非常脱出等の目的で、全閉状態の開閉体１０の下端側が急激に手等で持ち上げられた場合でも、開閉体１０の下面に対して常に受け部材５１が近接または接触しているため、前記開放力によって巻取り軸３０とガイド軸４０との間で開閉体１０が弛むのを防ぐことができる。
【図面の簡単な説明】
【００５２】
【図１】本発明に係わる開閉装置の一例を示す模式図であり、（ａ）は開閉体が略全開された状態を示し、（ｂ）は同開閉体が略全閉された状態を示す。
【図２】同開閉装置の要部拡大図であり、開閉体が略全開された状態を示す。
【図３】本発明に係わる開閉装置の他例を示す模式図であり、（ａ）は開閉体が略全開された状態を示し、（ｂ）は同開閉体が略全閉された状態を示す。
【図４】本発明に係わる開閉装置の他例を示す模式図であり、（ａ）は開閉体が略全開された状態を示し、（ｂ）は同開閉体が略全閉された状態を示す。
【図５】従来の開閉装置の一例を示す模式図であり、（ａ）は開閉体が巻取り軸とガイド軸との間で弛んだ状態を示し、（ｂ）は同開閉体が巻取り軸とガイド軸との間に落ち込んだ状態を示す。
【符号の説明】
【００５３】
１，２，３：開閉装置
１０：開閉体
２０：ガイドレール
３０：巻取り軸
４０：ガイド軸
５１：受け部材
５２：回転体
５３：牽引体
【図１】
2006045942.tif 000003
【図２】
2006045942.tif 000004
【図３】
2006045942.tif 000005
【図４】
2006045942.tif 000006
【図５】
2006045942.tif 000007